(57)【特許請求の範囲】
【請求項１】
クリップであって、
ベースプレートに一体的に結合された一対のばねアームと、
前記ベースプレートから離れるように前記一対のばねアームの一方に一体的に結合された、遠位側に自由端を有する平面状のトップと、
前記ベースプレートから離れるように前記一対のばねアームの他方に一体的に結合されたボトムと、
前記トップに形成されて前記自由端から近位側に離間されたアパチャと
を含み、
前記一対のばねアームは前記ベースプレートから角度がつけられて互いから離れるように発散し、
前記トップ及びボトムは、前記ベースプレートに対して前記クリップの内向きに角度をつけて設けられて互いに向かい合うように角度をつけて延び、
前記ボトムは前記アパチャの全体を覆うように構成されるクリップ。
【請求項２】
前記トップの自由端は前記ボトムを超えるように外向きに延びる請求項１に記載のクリップ。
【請求項３】
前記アパチャは細長くされる請求項１に記載のクリップ。
【請求項４】
前記ボトムにデテントが形成され、
前記デテントは前記アパチャに対向するように設けられる請求項１に記載のクリップ。
【請求項５】
前記ボトムに細長い隆起バーが形成される請求項１に記載のクリップ。
【請求項６】
前記トップは内側表面及び外側表面を有し、
プラットホームが前記外側表面に一体的に結合されて前記トップに重なる請求項３に記載のクリップ。
【請求項７】
前記プラットホームは開口を含み、
前記開口は前記アパチャを包絡する請求項６に記載のクリップ。
【請求項８】
前記プラットホームと前記トップの外側表面との間に空隙が形成される請求項６に記載のクリップ。
【請求項９】
前記プラットホームに細長いバーが形成される請求項７に記載のクリップ。
【請求項１０】
前記プラットホームは、前記一対のばねアームの前記一方から前記アパチャに向かって、上方に先細りとされる部分を含む請求項６に記載のクリップ。
【請求項１１】
前記プラットホームは親指リッジを含み、
前記親指リッジは、前記アパチャの周縁に隣接するように設けられる請求項７に記載のクリップ。
【請求項１２】
前記プラットホームは開口を含み、
前記開口は前記アパチャを包絡する請求項１０に記載のクリップ。
【請求項１３】
前記開口の周縁が、前記トップの外側表面に直交するように鉛直上方に延びる請求項１２に記載のクリップ。
【請求項１４】
前記アパチャは前記トップの底面に底エッジを含み、
前記底エッジは丸められる請求項１に記載のクリップ。
【請求項１５】
前記アパチャの周縁が、前記トップの内側表面から前記アパチャの内向きに角度をつけて延びる請求項１に記載のクリップ。
【請求項１６】
クリップであって、
ベースプレートに一体的に結合された一対のばねアームと、
前記ベースプレートから離れるように前記一対のばねアームの一方に一体的に結合されたトップと、
前記ベースプレートから離れるように前記一対のばねアームの他方に一体的に結合されたボトムと、前記トップに形成されたアパチャと
を含み、
前記一対のばねアームは前記ベースプレートから角度がつけられて互いから離れるように発散し、
前記トップ及びボトムは、前記ベースプレートに対して前記クリップの内向きに角度をつけて設けられて互いに向かい合うように角度をつけて延び、
前記トップは内側表面及び外側表面を有し、
前記外側表面にはプラットホームが一体的に結合され、
前記プラットホームは開口を含み、
前記開口は前記アパチャを包絡するクリップ。
【請求項１７】
前記プラットホームは親指リッジを含み、
前記親指リッジは、前記アパチャの周縁に隣接するように設けられる請求項１６に記載のクリップ。
【請求項１８】
クリップであって、
ベースプレートに一体的に結合された一対のばねアームと、
前記ベースプレートから離れるように前記一対のばねアームの一方に一体的に結合されたトップと、
前記ベースプレートから離れるように前記一対のばねアームの他方に一体的に結合されたボトムと、
前記トップに形成されたアパチャと
を含み、
前記一対のばねアームは前記ベースプレートから角度がつけられて互いから離れるように発散し、
前記トップ及びボトムは、前記ベースプレートに対して前記クリップの内向きに角度をつけて設けられて互いに向かい合うように角度をつけて延び、
前記トップは内側表面及び外側表面を有し、
前記外側表面にはプラットホームが一体的に結合され、
前記プラットホームは、前記一対のばねアームの前記一方から前記アパチャに向かって、上方に先細りとされる部分を含むクリップ。
【請求項１９】
前記プラットホームは開口を含み、
前記開口は前記アパチャを包絡する請求項１８に記載のクリップ。
【発明の詳細な説明】
【技術分野】
【０００１】
本発明は、アパチャ開口手段を備えたクリップに関する。
【背景技術】
【０００２】
クリップは、様々な物品、特に、紙片、紙幣、クレジットカード等のような平面状の物品を保持するものとしてよく知られている。知られている多くのクリップに関する永続的な問題には、クリップを手で開けることの困難性が含まれる。何らかの形態の操作レバーを利用することで、クリップを開いて内容物を挿入できる能力が高められる。こうしたタイプのクリップは広く受け入れられており、製造がやや難しく高価な傾向を除いては良好に機能している。
【先行技術文献】
【特許文献】
【０００３】
【特許文献１】米国特許第７，５３６，７５３（Ｂ２）号明細書
【発明の概要】
【発明が解決しようとする課題】
【０００４】
したがって、開くのが容易かつ簡便である一方、製造が安価ゆえに多様な消費者にとって魅力的となる低小売価格がもたらされるクリップが必要とされている。
【課題を解決するための手段】
【０００５】
本発明によれば、折り畳まれた紙幣及びクレジットカードのような多様な物品を保持するクリップが与えられる。クリップは、近位側エッジに沿ってベースプレートに一体的に結合された一対のばねアームを含み、トップ及びボトムがそれぞれ、ばねアームの遠位側エッジに一体的に結合され、当該クリップの内向きに角度をつけて設けられる。トップには、その自由端に近接するアパチャが形成され、ボトムには当該アパチャに一般に対向するデテントが形成される。トップの上側表面には、アパチャを包絡する部分を備えたプラットホームが一体的に形成され、当該プラットホームには、アパチャの近位部分に隣接して親指リッジが形成される。
【図面の簡単な説明】
【０００６】
【図１】本発明に係るクリップの斜視図である。
【図２】クリップの底側から見た斜視図である。
【図３】側面図である。
【図４】上面図である。
【図５】底面図である。
【図６】図１の右側から見た端面図である。
【図７】クリップ内に包含された内容物を示す側面図である。
【図８】図１の８−８線に沿って見た断面図である。
【図９】図１の９−９線に沿って見た断面図である。
【図１０】クリップの他実施形態の斜視図である。
【図１１】図１０に示されるクリップの側面図である。
【発明を実施するための形態】
【０００７】
図面において、特に図１を参照すると、本発明に係る一形態のクリップが示される。このクリップは、外側又は近位側エッジがベースプレート３に結合されたばねアーム１及び２を含む。トップ４及びボトム５それぞれが、ばねアーム１及び２の内側又は遠位エッジに一体的に結合され、互いに内向きに向かい合って角度をつけて延びる。ばねアーム１及び２に対するベースプレート３の角度づけ配置により、トップ４及びボトム５に内向きの張力が加えられる。図１〜３に最もよく示されるように、操作が容易となるように、トップ４の自由端又は遠位端が、ボトム５の対応端に重なる。本発明によれば、凹んだデテント６が、ボトム５の内側表面においてボトム５の自由端に近接して形成され、細長いアパチャ７が、一般にデテント６に対向するようにトップ４に形成される。
【０００８】
本発明のさらなる特徴によれば、プラットホーム８が、トップ４の上側表面に一体的に結合される。プラットホーム８の遠位端が開放され、指リッジ９によってアパチャ７を取り囲む。指リッジ９は、アパチャ７の内側周縁に隣接するように形成される。プラットホーム８の部分８ａは所与の厚さとされ、プラットホーム８の、アパチャ７を取り囲む部分８ｂは、それよりも小さな厚さとされる。これにより、アパチャ７の内側エッジに隣接する、部分８ａと部分８ｂとの結合箇所に、指リッジ９が形成される。図９に最もよく示されるように、トップ４の上にあるプラットホーム８の部分８ａには空隙又はポケットが形成される。この特徴により、クリップの全体的な重量が低減され、ばね張力がクリップに加えられる。
【０００９】
さらに、図９に最もよく示されるように、トップ４に形成されたアパチャ７の周縁は、トップ４の底面から内向きに角度がつけられた後に、平面状のトップ４に直交してプラットホーム８の部分８ｂを通るように鉛直上方へと延びる。部分８ａの周縁の実質的に下半分が内側を向くことにより、クリップ内容物をクリップの内及び外の双方にスライドさせることが容易になる。
【００１０】
クリップの内容物が当該クリップ内に挿入され及び当該クリップから引き出されるときに、アパチャ７の下側エッジに引っかかるのを防止するべく、アパチャ７の下側エッジは、アパチャ７の底エッジまわりに滑らかで若干丸められた表面が形成されるように機械研磨される。
【００１１】
本発明に係るクリップのさらなる実施形態が図１０及び１１に示される。ここで、修正されたプラットホーム１０が、トップ４の上側表面に一体的に形成され、ばねアーム１からクリップの遠位に向かって上方に先細りとされる。図１〜８に示されたプラットホーム８と同様、プラットホーム１０はアパチャ７の周縁まわりに延びる。プラットホーム１０が上方に先細りとされることにより、アパチャ７の周縁エッジに沿って指リッジ１１がもたらされる。
【００１２】
一般にばねアーム１とトップ４との結合箇所に近接するプラットホーム８の外側表面に、及び一般にばねアーム２とボトム５との結合箇所に近接するボトム５の外側表面に、細長い隆起平行把持バー１２が形成される。
【００１３】
トップ４の自由端が、ボトム５の自由端を超えるように延びているので、ユーザは、操作において、所望の内容物を、トップ４の縁の下に便宜に配置し、クリップを保持する自由な方の手で、アパチャ７を通るように指を挿入し、ボトム５に圧力を及ぼすようにデテント６を押す。これにより、トップ４がボトム５から離れるので、その間にクリップの内容物が容易に挿入される。ボトム５に及ぼされる手動の圧力が解放されると、ばねアーム１及び２の内向き張力がもたらすばね力により、トップ４とボトム５とが一緒に閉じるので、内容物がクリップの中にしっかりと保持される。
【００１４】
本発明に係るクリップの利点には、ばねアーム１及び２と各トップ４及びボトム５との角度づけ配置が含まれる。これにより、トップ４及びボトム５を一緒に付勢する張力が増大される結果がもたらされる。このようにトップ４とボトム５とが閉じようとする力が増大することは、従来型の丸められたクリップ接続スロートでは不可能である。
【００１５】
加えて、アパチャ７がトップ４の自由端に近接して配置されることにより、クリップを開く間の「てこ」力が増大するとともに、デテント６が一般にアパチャ７に対向して配置されることにより、クリップを開くときの下向きの力の適切な配置が可能となる。
【００１６】
指リッジ９により、ユーザは、開く操作の間、クリップに付加的圧力を及ぼすことができる。クリップから内容物を取り外すことが望まれる場合、ユーザは、片方の手を使ってクリップの中の内容物のエッジを把持し、内容物がクリップから引き離されるときに当該クリップに付加的な手動把持摩擦を与える隆起バー１２を、他方の手で把持することができる。代替的に、指リッジ９に圧力を及ぼしながら、他方の手が単に、クリップから内容物を把持して引き出すことが快適かつ便宜となり得る。
【００１７】
したがって、本発明によれば、使用が容易かつ便宜であり製造が安価なクリップが与えられる。
【図１】
0006437098.tif 000002
【図２】
0006437098.tif 000003
【図３】
0006437098.tif 000004
【図４】
0006437098.tif 000005
【図５】
0006437098.tif 000006
【図６】
0006437098.tif 000007
【図７】
0006437098.tif 000008
【図８】
0006437098.tif 000009
【図９】
0006437098.tif 000010
【図１０】
0006437098.tif 000011
【図１１】
0006437098.tif 000012